(57)【要約】【課題】従来の記録再生装置は、キャッシュメモリに記憶するデータが容量オーバーとなる問題があった。【解決手段】この発明の記録再生装置は、映像信号蓄積手段に蓄積された映像信号の蓄積量を監視し、規定値と比較して蓄積された映像信号の蓄積量が規定値より大きい場合は、蓄積された映像信号を伸張処理した後、圧縮処理して出力する圧縮手段と、圧縮手段から出力された映像信号を映像信号蓄積手段へ蓄積し、この映像信号の蓄積量を規定値と比較し、映像信号の蓄積量が規定値より小さい場合は、映像信号を記録媒体へ記録する記録手段とを備えるように構成している。【選択図】  図１
2004153598.tif 000002
【特許請求の範囲】
【請求項１】
外部から入力された映像信号を記録媒体へ記録する記録再生装置において、
外部から入力された映像信号を圧縮処理して出力する第１の圧縮手段と、
前記第１の圧縮手段から出力された映像信号を蓄積する映像信号蓄積手段と、
前記映像信号蓄積手段に蓄積された前記第１の圧縮手段から出力された映像信号の蓄積量を監視し、規定値と比較する比較手段と、
前記比較手段によって前記蓄積された映像信号の蓄積量が前記規定値より大きいと判断された場合は、前記蓄積された映像信号を伸張処理した後、圧縮処理して出力する第２の圧縮手段と、
前記第２の圧縮手段から出力された映像信号を前記映像信号蓄積手段へ蓄積し、この映像信号の蓄積量を前記比較手段によって前記規定値と比較し、この映像信号の蓄積量が前記規定値より小さいと判断された場合は、この映像信号を記録媒体へ記録する記録手段とを備えることを特徴とする記録再生装置。
【請求項２】
外部から入力された映像信号を記録媒体へ記録する記録再生装置において、
外部から入力された映像信号を圧縮処理して出力する第１の圧縮手段と、
前記第１の圧縮手段から出力された映像信号を蓄積する映像信号蓄積手段と、
前記映像信号蓄積手段に蓄積された前記第１の圧縮手段から出力された映像信号の蓄積量を監視し、規定値と比較して前記蓄積された映像信号の蓄積量が前記規定値より小さいか否かを判断する比較手段と、
前記比較手段によって前記蓄積された映像信号の蓄積量が前記規定値より小さいと判断された場合は、この蓄積された映像信号を記録媒体へ記録する記録手段と、
前記比較手段によって前記蓄積された映像信号の蓄積量が前記規定値より大きいと判断された場合は、前記蓄積された映像信号を前記第１の圧縮手段における圧縮処理よりも高い圧縮率で圧縮処理して出力する第２の圧縮手段とを備え、
前記第２の圧縮手段から出力された映像信号を前記映像信号蓄積手段へ蓄積し、この映像信号の蓄積量を前記比較手段によって前記規定値と比較し、前記映像信号蓄積手段に蓄積されたこの映像信号の蓄積量が前記規定値より小さいと判断されるまで前記第２の圧縮手段によって圧縮を行い、この圧縮された映像信号を前記記録手段によって記録媒体へ記録することを特徴とする記録再生装置。
【請求項３】
外部から入力された映像信号を記録媒体へ記録する記録再生装置において、
外部から入力された映像信号を圧縮処理して出力する第１の圧縮手段と、
前記第１の圧縮手段から出力された映像信号を蓄積する映像信号蓄積手段と、
前記映像信号蓄積手段に蓄積された前記第１の圧縮手段から出力された映像信号の蓄積量を監視し、規定値と比較して前記蓄積された映像信号の蓄積量が前記規定値より小さいか否かを判断する比較手段と、
前記比較手段によって前記蓄積された映像信号の蓄積量が前記規定値より小さいと判断された場合は、この蓄積された映像信号を記録媒体へ記録する記録手段と、
前記比較手段によって前記蓄積された映像信号の蓄積量が前記規定値より大きいと判断された場合は、前記蓄積された映像信号を前記第１の圧縮手段における圧縮処理よりも高い圧縮率で圧縮処理して出力する第２の圧縮手段と、
前記第２の圧縮手段から出力された映像信号を前記映像信号蓄積手段へ蓄積し、この映像信号の蓄積量を前記比較手段によって前記規定値と比較し、この映像信号の蓄積量が前記規定値より大きいと判断された場合は、この蓄積された映像信号を前記第２の圧縮手段における圧縮処理よりもさらに高い圧縮率で圧縮処理して出力し、前記比較手段において前記映像信号蓄積手段に蓄積された映像信号の蓄積量が前記規定値より小さいと判断されるまで順次圧縮率を高めて圧縮処理を行う第３の圧縮手段とを備え、
前記映像信号蓄積手段に蓄積された映像信号が前記規定値より小さいと判断された場合は、この映像信号を前記記録手段によって記録媒体へ記録することを特徴とする記録再生装置。
【請求項４】
外部から入力された映像信号を記録媒体へ記録する記録再生装置において、
外部から入力された映像信号をＭＰＥＧ圧縮方式に係る圧縮処理を施して出力する第１の圧縮手段と、
前記第１の圧縮手段から出力された映像信号を蓄積する映像信号蓄積手段と、
前記映像信号蓄積手段に蓄積された前記第１の圧縮手段から出力された映像信号の蓄積量を監視し、規定値と比較する比較手段と、
前記比較手段によって前記蓄積された映像信号の蓄積量が前記規定値より大きいと判断された場合は、前記蓄積された前記ＭＰＥＧ圧縮された映像信号をＭＰＥＧ伸張する伸張手段と、
前記伸張された映像信号をＭＰＥＧ圧縮方式に係る圧縮処理を施して出力する第２の圧縮手段と、
前記第２の圧縮手段から出力された映像信号を前記映像信号蓄積手段へ蓄積し、この映像信号の蓄積量が前記規定値より小さいと判断された場合は、この映像信号を記録媒体へ記録する記録手段とを備えることを特徴とする記録再生装置。
【請求項５】
前記再生手段におけるＭＰＥＧ伸張処理の処理能力は前記第２の圧縮手段におけるＭＰＥＧ圧縮の処理能力と同等もしくはより高い処理能力を備えるように構成されることを特徴とする請求項４に記載の記録再生装置。
【請求項６】
受信された放送信号に係る映像信号を記録媒体へ記録する記録再生装置において、
放送信号を受信し、放送信号に係る映像信号を出力する放送信号受信手段と、
前記放送信号受信手段から出力された放送信号に係る映像信号を圧縮処理して出力する第１の圧縮手段と、
前記第１の圧縮手段から出力された映像信号を蓄積する映像信号蓄積手段と、
前記映像信号蓄積手段に蓄積された前記第１の圧縮手段から出力された映像信号の蓄積量を監視し、規定値と比較する比較手段と、
前記比較手段によって前記蓄積された映像信号の蓄積量が前記規定値より大きいと判断された場合は、前記蓄積された映像信号を伸張処理した後、圧縮処理して出力する第２の圧縮手段と、
前記第２の圧縮手段から出力された映像信号を前記映像信号蓄積手段へ蓄積し、この映像信号の蓄積量を前記比較手段によって前記規定値と比較し、この映像信号の蓄積量が前記規定値より小さいと判断された場合は、この映像信号を記録媒体へ記録する記録手段とを備えることを特徴とする記録再生装置。
【請求項７】
前記第１の圧縮手段における圧縮率と前記第２の圧縮手段における圧縮率は異なる圧縮率であることを特徴とする請求項１乃至６に記載の記録再生装置。
【請求項８】
前記第１の圧縮手段における圧縮率より、前記第２の圧縮手段における圧縮率の方が、圧縮率が高いことを特徴とする請求項７に記載の記録再生装置。
【請求項９】
外部から入力された映像信号を記録媒体へ記録する記録再生装置において、
外部から入力された映像信号を圧縮処理して出力する第１の圧縮手段と、
前記第１の圧縮手段から出力された映像信号を蓄積する映像信号蓄積手段と、
前記映像信号蓄積手段に蓄積された前記第１の圧縮手段から出力された映像信号の蓄積量を監視し、規定値と比較して前記蓄積された映像信号の蓄積量が前記規定値より小さいか否かを判断する比較手段と、
前記比較手段によって前記蓄積された映像信号の蓄積量が前記規定値より小さいと判断された場合は、この蓄積された映像信号を記録媒体へ記録する記録手段と備えることを特徴とする記録再生装置。
【請求項１０】
前記放送信号受信手段は、さらに、放送信号に係る映像信号をデジタル信号へ変換して出力するＡ／Ｄ変換手段を備えることを特徴とする請求項１乃至９に記載の記録再生装置。
【請求項１１】
前記第２の圧縮手段から出力された映像信号をＤＶＤフォーマットへ変換するＤＶＤフォーマット変換手段をさらに備え、ＤＶＤフォーマットへ変換された映像信号を前記記録手段において記録媒体へ記録することを特徴とする請求項１乃至８に記載の記録再生装置。
【請求項１２】
前記記録媒体は記録可能なＤＶＤディスクであり、前記ＤＶＤフォーマット変換手段から出力された映像信号をＤＶＤディスクへ記録するための記録信号へ変換する記録信号変換手段をさらに備え、記録信号に変換された映像信号を前記記録手段においてＤＶＤディスクへ記録することを特徴とする請求項１１に記載の記録再生装置。
【請求項１３】
前記第２の圧縮手段から出力された映像信号をＨＤＤフォーマットへ変換するＨＤＤフォーマット変換手段をさらに備え、ＨＤＤフォーマットへ変換された映像信号を前記記録手段において記録媒体へ記録することを特徴とする請求項１乃至８に記載の記録再生装置。
【請求項１４】
前記記録媒体はＨＤＤディスクであり、前記ＨＤＤフォーマット変換手段から出力された映像信号をＨＤＤディスクへ記録するための記録信号へ変換する記録信号変換手段をさらに備え、記録信号に変換された映像信号を前記記録手段においてＨＤＤディスクへ記録することを特徴とする請求項１１に記載の記録再生装置。
【請求項１５】
外部から入力された映像信号に第１の圧縮処理を施して出力する第１の圧縮ステップと、
前記出力された映像信号を蓄積するステップと、
前記蓄積された映像信号の蓄積量を監視し、規定値と比較するステップと、
前記蓄積された映像信号の蓄積量が前記規定値より大きいと判断された場合は、前記蓄積された映像信号を伸張した後に第２の圧縮処理を施して出力する第２の圧縮ステップと、
前記第２の圧縮処理が施された映像信号を蓄積し、この映像信号の蓄積量を前記規定値と比較し、この映像信号の蓄積量が前記規定値より小さいと判断された場合は、この映像信号を記録媒体へ記録するステップとを備えることを特徴とする記録再生方法。
【発明の詳細な説明】
【０００１】
【発明の属する技術分野】
この発明は映像信号を記録媒体へ記録する記録再生装置に関する。
【０００２】
【従来の技術】
従来の映像信号を記録媒体へ記録する技術は、映像信号の記録中に記録媒体の残量が不足する場合に、当該記録された映像信号を復号し、異なる圧縮率で再符号化し、同一記録媒体に再記録している（例えば特許文献１）。
【０００３】
また、従来の映像信号を記録媒体へ記録する技術は、記録された映像情報を読み出し伸張してから、より高い圧縮率で再記録している（例えば特許文献２）。
【０００４】
【特許文献１】
特開平１０−２５７４２２号公報（第２−５頁、図１、図２）
【０００５】
【特許文献２】
特開平１０−２４３３４４号公報（第３−８頁、図１、図３）
【０００６】
【発明が解決しようとする課題】
上記特許文献１および特許文献２の技術は、キャッシュメモリの容量オーバーの問題を解決することはできなかった。
【０００７】
この発明は、キャシュメモリからドライブにデータを転送できずに、キャッシュメモリに記憶するデータが容量オーバーとなる問題を解決する記録再生装置を提供することを目的とする。
【０００８】
【課題を解決するための手段】
この発明に係る記録再生装置は、外部から入力された映像信号を圧縮処理して出力する第１の圧縮手段と、前記第１の圧縮手段から出力された映像信号を蓄積する映像信号蓄積手段と、前記映像信号蓄積手段に蓄積された前記第１の圧縮手段から出力された映像信号の蓄積量を監視し、規定値と比較する比較手段と、前記比較手段によって前記蓄積された映像信号の蓄積量が前記規定値より大きいと判断された場合は、前記蓄積された映像信号を伸張処理した後に圧縮処理して出力する第２の圧縮手段と、前記第２の圧縮手段から出力された映像信号を前記映像信号蓄積手段へ蓄積し、この映像信号の蓄積量を前記比較手段によって前記規定値と比較し、この映像信号の蓄積量が前記規定値より小さいと判断された場合は、この映像信号を記録媒体へ記録する記録手段とを備えるように構成している。
【０００９】
またこの発明に係る記録再生方法は、外部から入力された映像信号に第１の圧縮処理を施して出力する第１の圧縮ステップと、前記出力された映像信号を蓄積するステップと、前記蓄積された映像信号の蓄積量を監視し、規定値と比較するステップと、前記蓄積された映像信号の蓄積量が前記規定値より大きいと判断された場合は、前記蓄積された映像信号を伸張した後に第２の圧縮処理を施して出力する第２の圧縮ステップと、前記第２の圧縮処理が施された映像信号を蓄積し、この映像信号の蓄積量を前記規定値と比較してこの映像信号の蓄積量が前記規定値より小さいと判断された場合は、この映像信号を記録媒体へ記録するステップとを備えるように構成している。
【００１０】
【発明の実施の形態】
以下、図面を参照してこの発明に係る実施の形態を説明する。
【００１１】
図１はこの発明に係る実施の形態を説明するブロック図である。
【００１２】
符号１はＤＶＤディスク（記録媒体）、符号２はＤＶＤディスク１へのデータの書込みやＤＶＤディスク１からのデータの読出しを行うピックアップ、符号３はＤＶＤディスク１をドライブするディスクモータである。
【００１３】
符号４は再生アンプ、符号５は記録アンプ、符号７は映像信号蓄積手段である記録再生メモリバッファ（キャッシュメモリ）、符号８はサーボプロセッサ、符号９はＭＰＥＧ２圧縮されたデータを伸張するＭＰＥＧ２デコーダ（伸張手段）、符号１０はシステムをコントロールするシステムコントローラ、符号１１はデータをＭＰＥＧ２圧縮するＭＰＥＧ２エンコーダ（圧縮手段）である。
【００１４】
符号４１はグラフィック表示器、符号１２はデジタルデータ（デジタル信号）をアナログデータ（アナログ信号）へ変換するＤ／Ａコンバータである映像ＤＡＣ、符号１３は映像を外部へ出力する映像外部出力部である。
【００１５】
符号１６は外部から映像を入力する映像外部入力部、符号１５は外部から入力された映像を選択する映像入力セレクタ、符号１４はアナログ信号をデジタル信号に変換するＡ／Ｄコンバータである映像Ａ／Ｄである。
【００１６】
符号１９は放送を受信するアンテナ、符号１８は受信された放送を選局するチューナ、符号１７は選局された放送から放送局情報をデコードする放送局情報デコーダである。
【００１７】
符号２２は音声が入力される音声入力部、符号２１は入力された音声を選択する音声入力セレクタ、符号２０はアナログ信号をデジタル信号に変換するＡ／Ｄコンバータである音声Ａ／Ｄである。
【００１８】
符号２３はデジタルデータ（デジタル信号）をアナログデータ（アナログ信号）へ変換するＤ／Ａコンバータである音声ＤＡＣ、符号２４は音声を外部へ出力する音声外部出力部である。これらは、システムコントローラ１０によって制御される。
【００１９】
アンテナ１９で受信された放送はチューナ１８へ送信され所望の放送局が選択（チューニング）される。チューナ１８で選択された放送局の映像信号は映像入力セレクタ１５へ送信され、音声信号は音声入力セレクタ２１へ送信される。また、記録再生装置５０の外部に設けられた外部機器（図示せず）から送信され、映像外部入力部１６から入力された映像信号も映像入力セレクタ１５へ送信される。また、記録再生装置５０の外部機器（図示せず）から送信され、音声入力部２２から入力された音声信号も音声入力セレクタ２１へ送信される。
【００２０】
映像入力セレクタ１５ではユーザの指示によって、チューナ１８から送信された映像信号および映像外部入力部１６から入力された映像信号の選択が行われ、選択された映像信号（アナログ信号）が映像Ａ／Ｄ１４へ送信される。
【００２１】
映像Ａ／Ｄ１４ではアナログ信号をデジタル信号に変換する処理が行われ、デジタル信号に変換された映像信号が出力される。
【００２２】
音声入力セレクタ２１ではユーザの指示によって、チューナ１８から送信された音声信号および音声入力部２２から入力された音声信号の選択が行われ、選択された音声信号（アナログ信号）が音声Ａ／Ｄ２０へ送信される。
【００２３】
音声Ａ／Ｄ２０ではアナログ信号をデジタル信号に変換する処理が行われ、デジタル信号に変換された音声信号が出力される。
【００２４】
映像Ａ／Ｄ１４から出力されたデジタル信号に変換された映像信号および音声Ａ／Ｄ２０から出力されたデジタル信号に変換された音声信号はＭＰＥＧ２エンコーダ１１へ入力され、ＭＰＥＧ２に係る第１の圧縮（圧縮率：Ｋ０）が施され、ＭＰＥＧ２圧縮データ（映像および音声データ）が出力される。
【００２５】
ＭＰＥＧ２エンコーダ１１から出力されたＭＰＥＧ圧縮データは半導体メモリ等で構成されるキャッシュメモリである記録・再生メモリバッファ７に蓄積される。
【００２６】
記録・再生メモリバッファ７は、そのメモリ領域の所定の領域を記録媒体１への記録用に割り当てており、ＭＰＥＧ２エンコーダ１１から出力されたＭＰＥＧ圧縮データはこの所定の領域に蓄積される。この所定の領域に蓄積されたＭＰＥＧ圧縮データの蓄積量はシステムコントローラ１０によって監視される。そして、この監視されたＭＰＥＧ圧縮データの蓄積量は、システムコントローラ１０によって、予め決められた規定値と比較される。
【００２７】
図２はこの発明の実施の形態に係る映像信号蓄積手段（記録・再生メモリバッファ７）を説明する図である。
【００２８】
記録・再生メモリバッファ７内の符号３１、符号３２、符号３３がＭＰＥＧ圧縮データを記録媒体へ記録する際の蓄積用として割り当てられた記録用蓄積領域である。例えば、上記規定値の値は、予め決められ、少なくともシステムコントローラ１０と接続される必要があるが、上記記録用蓄積領域３１、３２、３３を合計した値であってもよいし、これらを合計した値より小さい値であってもよい。
【００２９】
システムコントローラ１０は、記録・再生メモリバッファ７に蓄積されたＭＰＥＧ圧縮データの蓄積量と上記規定値を比較した結果に基づいて、両者の大小関係すなわち、記録・再生メモリバッファ７に蓄積されたＭＰＥＧ圧縮データの蓄積量が規定値より大きいか、記録・再生メモリバッファ７に蓄積されたＭＰＥＧ圧縮データの蓄積量が規定値より小さいかを判断する。
【００３０】
まず、記録・再生メモリバッファ７に蓄積されたＭＰＥＧ圧縮データの蓄積量が規定値より小さいと判断された場合について説明する。
【００３１】
記録・再生メモリバッファ７に蓄積されたＭＰＥＧ圧縮データの蓄積量が規定値より小さいと判断された場合は記録・再生メモリバッファ７は許容容量オーバーではないので、異常なしと判断され、通常動作が実行される。すなわち、記録・再生メモリバッファ７に蓄積されたＭＰＥＧ圧縮データはデータプロセッサ６へ送信される。
【００３２】
データプロセッサ６は記録・再生メモリバッファ７から送信されたＭＰＥＧ圧縮データをＤＶＤフォーマットに変換して出力する。ＤＶＤフォーマットに変換して出力されたＭＰＥＧ圧縮データは記録アンプ５へ送信される。
【００３３】
記録アンプ５では、ＤＶＤフォーマットに変換されたＭＰＥＧ圧縮データをＤＶＤディスクの記録信号に変換して出力する。
【００３４】
記録アンプ５から出力されたＤＶＤディスクの記録信号に変換されたＭＰＥＧ圧縮データはピックアップ２へ入力される。
【００３５】
ピックアップ２は、サーボプロセッサ８に制御され、上記ＤＶＤディスクの記録信号に基づいて上記ＭＰＥＧ圧縮データをレーザー信号に変換して出力する。またディスクモータ３もサーボプロセッサ８に制御され、ピックアップ２から出力されたレーザー信号は、ディスクモータ３にドライブされるＤＶＤディスク１へのデータの書込みが実行される。
【００３６】
次に記録・再生メモリバッファ７に蓄積されたＭＰＥＧ圧縮データの蓄積量が規定値より大きいと判断された場合について説明する。
【００３７】
記録・再生メモリバッファ７に蓄積されたＭＰＥＧ圧縮データの蓄積量が規定値より大きいと判断された場合は記録・再生メモリバッファ７は許容容量をオーバーしていると判断される。例えばドライブ（ディスクモータ７）に、一時的に異常が生じ、記録・再生メモリバッファ７に蓄積されたＭＰＥＧ圧縮データをＤＶＤディスク１（記録媒体）への記録が中断された状態である。この記録中断状態においては、ＭＰＥＧ２エンコーダ１１から記録・再生バッファ７にはデータ送信されているが、データプロセッサ６がこのデータを受け取れないことが原因である。
【００３８】
そこで、この発明の実施の形態においては、次のようにして、記録・再生メモリバッファ７の許容容量オーバーを防止する。
【００３９】
すなわち、記録・再生メモリバッファ７に蓄積されたＭＰＥＧ２圧縮データの蓄積量が規定値より大きいと判断された場合は、記録・再生メモリバッファ７に蓄積されたＭＰＥＧ２圧縮データをＭＰＥＧ２デコーダ９へ入力し、ＭＰＥＧ２に係る伸張処理を施してＭＰＥＧ２伸張データ（映像および音声データ）を出力する。
【００４０】
ＭＰＥＧ２デコーダ９から出力されたＭＰＥＧ２伸張データは、ＭＰＥＧ２エンコーダ１１へ入力される。
【００４１】
ＭＰＥＧ２エンコーダ１１では、ＭＰＥＧ２に係る第２の圧縮（圧縮率：Ｋ１）が施され、ＭＰＥＧ２圧縮データ（映像および音声データ）が出力される。このとき、記録・再生メモリバッファ７に蓄積されたＭＰＥＧ２圧縮データを伸張し、再度圧縮するデータの作業単位を１ＧＯＰ毎とする。また、この時、ＭＰＥＧ２エンコーダ１１の処理能力を、ＭＰＥＧ２デコーダ９の処理能力と同等またはＭＰＥＧ２デコーダ９の処理能力より高くすることが望ましい。
【００４２】
ＭＰＥＧ２エンコーダ１１のＭＰＥＧ１に係る第１の圧縮（圧縮率：Ｋ０）およびＭＰＥＧ２に係る第２の圧縮（圧縮率：Ｋ１）はシステムコントローラ１０によって制御される。また、第１の圧縮に係る圧縮率（Ｋ０）と第２の圧縮に係る圧縮率（Ｋ１）の関係は、上記のようにＭＰＥＧ２圧縮データに対してＭＰＥＧ２デコーダ９でＭＰＥＧ２に係る伸張処理を施しているので、異ならせる必要がある。すなわち、第１の圧縮に係る圧縮率（Ｋ０）よりも第２の圧縮に係る圧縮率（Ｋ１）の方を大きくすることが望ましい（Ｋ０＜Ｋ１）。
【００４３】
第２の圧縮（圧縮率：Ｋ１）が施され、ＭＰＥＧ２エンコーダ１１から出力されたＭＰＥＧ圧縮データは、記録・再生メモリバッファ７に蓄積される。
【００４４】
記録・再生メモリバッファ７の所定の領域に蓄積されたＭＰＥＧ圧縮データの蓄積量は、上記と同様に、システムコントローラ１０によって監視される。この監視されたＭＰＥＧ圧縮データの蓄積量は、システムコントローラ１０によって、予め決められた上記規定値と比較される。
【００４５】
システムコントローラ１０は、上記と同様に、記録・再生メモリバッファ７に蓄積されたＭＰＥＧ２圧縮データの蓄積量と上記規定値を比較した結果に基づいて、両者の大小関係すなわち、記録・再生メモリバッファ７に蓄積されたＭＰＥＧ２圧縮データの蓄積量が規定値より大きいか、記録・再生メモリバッファ７に蓄積されたＭＰＥＧ圧縮データの蓄積量が規定値より小さいかを判断する。
【００４６】
記録・再生メモリバッファ７に蓄積されたＭＰＥＧ２圧縮データの蓄積量が規定値より小さいと判断された場合は、上記と同様に、異常なしと判断され、通常動作が実行される。すなわち、記録・再生メモリバッファ７に蓄積されたＭＰＥＧ圧縮データはデータプロセッサ６へ送信され、ＭＰＥＧ圧縮データをＤＶＤフォーマットに変換し、ＤＶＤフォーマットに変換されたＭＰＥＧ圧縮データを記録アンプ５で、ＤＶＤフォーマットに変換し、ＤＶＤディスクの記録信号に変換し、ＤＶＤディスク１へのデータの書込みが実行される。
【００４７】
記録・再生メモリバッファ７に蓄積されたＭＰＥＧ圧縮データの蓄積量が規定値より大きいと判断された場合は、再度、記録・再生メモリバッファ７に蓄積されたＭＰＥＧ２圧縮データＭＰＥＧ２デコーダ９へ入力される。
【００４８】
そして、ＭＰＥＧ２デコーダ９でＭＰＥＧ２に係る伸張処理が施され、ＭＰＥＧ２伸張データ（映像および音声データ）が出力される。
【００４９】
ＭＰＥＧ２デコーダ９から出力されたＭＰＥＧ２伸張データは、ＭＰＥＧ２エンコーダ１１へ入力される。
【００５０】
ＭＰＥＧ２エンコーダ１１では、ＭＰＥＧ２に係る第３の圧縮（圧縮率：Ｋ２）が施され、ＭＰＥＧ２圧縮データ（映像および音声データ）が出力される。このとき、記録・再生メモリバッファ７に蓄積されたＭＰＥＧ２圧縮データを伸張し、再度圧縮するデータの作業単位を１ＧＯＰ毎とする。
【００５１】
ＭＰＥＧ２エンコーダ１１のＭＰＥＧ２に係る第３の圧縮（圧縮率：Ｋ２）もシステムコントローラ１０によって制御される。また、第２の圧縮に係る圧縮率（Ｋ１）と第３の圧縮に係る圧縮率（Ｋ２）の関係は、第２の圧縮に係る圧縮率（Ｋ１）よりも第３の圧縮に係る圧縮率（Ｋ２）の方を大きくすることが望ましい（Ｋ１＜Ｋ２）。
【００５２】
第３の圧縮（圧縮率：Ｋ２）が施され、ＭＰＥＧ２エンコーダ１１から出力されたＭＰＥＧ圧縮データは、記録・再生メモリバッファ７に蓄積される。
【００５３】
以下上記と同様にシステムコントローラ１０によって記録・再生メモリバッファ７に蓄積されたＭＰＥＧ２圧縮データの監視、規定値との比較が行われ、第４、第５等の圧縮が行われる。このとき、圧縮率はＫ０＜Ｋ１＜Ｋ２＜Ｋ３・・・と順次高くすることが望ましい。
【００５４】
例えば、記録媒体へデータを１０Ｍｂｉｔ／ｓｅｃの記録速度で記録している際に、記録・再生メモリバッファ７の蓄積値が規定値を超えた場合には記録するデータのデータ量を５０％減の５Ｍｂｉｔ／ｓｅｃの記録速度となるように上記データ圧縮を実行する。再び、規定値を超えた場合には記録するデータのデータ量を同様に５０％減の２．５Ｍｂｉｔ／ｓｅｃの記録速度となるように上記データ圧縮を実行する。
【００５５】
このとき、例えば、前記規定値が２５０Ｍｂであれば、ドライブ（ディスクモータ３）障害発生から２５秒後に第１の圧縮記録（５Ｍｂｉｔ／ｓｅｃ）が実行され、５０秒後でもドライブが復帰しない場合には第２の圧縮記録（２．５Ｍｂｉｔ／ｓｅｃ）が実行される。この場合は１００秒までのドライブ障害に対応することができる。
【００５６】
次に、ＤＶＤディスク１に記録された映像信号（映像および音声データ）の再生について説明する。
【００５７】
サーボプロセッサ８に制御されたピックアップ２から、サーボプロセッサ８に制御されたディスクモータ３でドライブされたＤＶＤディスク１にレーザー光が照射されることによりＤＶＤディスク１に書き込まれた映像信号が読み出され、出力される。
【００５８】
出力された映像信号は再生アンプ４に入力され、増幅されてデータプロセッサ６へ入力される。
【００５９】
データプロセッサ６では、ＭＰＥＧ２フォーマットへの復調が実行され、記録・再生バッファ７へ出力され再生のためのバッファ処理（一時記憶）が行われる。記録・再生バッファ７へ一時記憶された映像信号はＭＰＥＧ２デコーダ９へ入力され、ＭＰＥＧ２デコード処理が施され、映像／音声デジタルデータに復調されて出力される。
【００６０】
ＭＰＥＧ２デコーダ９から出力された映像デジタルデータ（映像信号）は、グラフィック表示器４１へ入力される。グラフィック表示器４１では所定の表示が追加され、映像デジタルデータが出力される。グラフィック表示器４１から出力された映像デジタルデータは映像ＤＡＣ１２に入力される。映像ＤＡＣ１２では、入力された映像デジタルデータを映像アナログデータに変換して映像外部出力部１３へ出力し、映像外部出力部１３から映像アナログデータが外部へ出力される。
【００６１】
ＭＰＥＧ２デコーダ９から出力された音声デジタルデータ（音声信号）は、音声ＤＡＣ２３に入力される。音声ＤＡＣ２３では、入力された音声デジタルデータを音声アナログデータに変換して音声外部出力部２４へ出力し、音声外部出力部２４から音声アナログデータが外部へ出力される。
【００６２】
図３はこの発明に係る実施の形態を説明するフローチャートである。
【００６３】
符号２００を付したステップは開始ステップである。続いて符合２０１を付したステップへ進む。
【００６４】
ステップ２０１は放送または外部から入力された映像信号を受信して出力するするステップである。続いて符合２０２を付したステップへ進む。
【００６５】
ステップ２０２は入力されたアナログ映像信号デジタル信号に変換（Ａ／Ｄ変換）して出力するステップである。続いて符合２０３を付したステップへ進む。
【００６６】
ステップ２０３は入力されたデジタル映像信号をＭＰＥＧ２へ変換、圧縮処理して出力するステップである（第１の圧縮手段）。入力された映像信号をＭＰＥＧ２（ＧＯＰ単位の信号）へ変換し、圧縮して出力する。このときの圧縮率は、例えばＫ０（０＜Ｋ０＜１）である。続いて符合２０４を付したステップへ進む。
【００６７】
ステップ２０４はＭＰＥＧ２圧縮された映像信号を上記のようにメモリバッファ（記録・再生メモリバッファ７）へ蓄積するステップである（映像信号蓄積手段）。続いて符合２０５を付したステップへ進む。
【００６８】
ステップ２０５はメモリバッファ（記録・再生メモリバッファ７）の所定領域に蓄積された映像信号の蓄積量を上記規定値と比較するステップである（比較手段）。映像信号の蓄積量が規定値以下であると判断された場合は、符号２０６を付したステップへ進む（Ｙｅｓ）。映像信号の蓄積量が規定値以下ではないと判断された場合は、符号２１０を付したステップへ進む（Ｎｏ）。
【００６９】
ステップ２１０はメモリバッファ（記録・再生メモリバッファ７）に蓄積されているＭＰＥＧ２圧縮された映像信号を、ＭＰＥＧ２伸張（再生）処理して出力するステップである。続いて符合２１１を付したステップへ進む。
【００７０】
ステップ２１１はＭＰＥＧ２伸張（再生）処理して出力されたデジタル映像信号を再度ＭＰＥＧ２へ変換、圧縮処理して出力するステップである（第２の圧縮手段）。入力された映像信号をＭＰＥＧ２（ＧＯＰ単位の信号）へ圧縮率Ｋ０からＫ０より大きな圧縮率Ｋ１へ変換し、圧縮して出力する。このときの圧縮率は、例えばＫ１（０＜Ｋ１＜Ｋ０＜１）である（ここでは圧縮率が大きいとは圧縮される割合が大きいことを示す。すなわち、Ｋ０とＫ０より大きな圧縮率Ｋ１との関係は０＜Ｋ１＜Ｋ０＜１となる）。続いて符合２０４を付したステップへ進み、ＭＰＥＧ２圧縮された映像信号はメモリバッファ（記録・再生メモリバッファ７）の所定領域に蓄積される。続いて、符号２０５を付したステップへ進む。
【００７１】
ここで、上記のように、ステップ２０５はメモリバッファ（記録・再生メモリバッファ７）の所定領域に蓄積された映像信号の蓄積量を上記規定値と比較するステップである（比較手段）。上記と同様に、映像信号の蓄積量が規定値以下であると判断された場合は、符号２０６を付したステップへ進む（Ｙｅｓ）。映像信号の蓄積量が規定値以下ではないと判断された場合は、再び、符号２１０を付したステップへ進む（Ｎｏ）。このとき、圧縮率は、例えばＫ２（０＜Ｋ２＜Ｋ１＜Ｋ０＜１）へ変更される。以下、同様にステップ２０５においてメモリバッファの所定領域に蓄積された映像信号の蓄積量を上記規定値と比較し、映像信号の蓄積量が上記規定値より小さくなるまであるいは上記規定値以下となるまで、順次圧縮率Ｋが、圧縮率の大きい（圧縮される割合が大きい）値：Ｋ１、Ｋ２、Ｋ３、Ｋ４、…、Ｋ、…に変更され、上記処理が繰り返される（０＜Ｋ＜１）。
【００７２】
ステップ２０６はメモリバッファ（記録・再生メモリバッファ７）に蓄積されたＭＰＥＧ２圧縮された映像信号をＤＶＤフォーマットへ変換して出力するステップである。続いて符合２０７を付したステップへ進む。
【００７３】
ステップ２０７はＤＶＤフォーマットに変換された映像信号をＤＶＤディスク１へ記録するための記録信号へ変換して出力するステップである。続いて符合２０８を付したステップへ進む。
【００７４】
ステップ２０８は記録信号に変換して出力された映像信号をＤＶＤディスク１へ記録するステップである。続いて符合２０９を付したステップへ進む。
【００７５】
ステップ２０８はここでの終了ステップである。
【００７６】
続いてこの発明にかかる第２の実施の形態について説明する。
【００７７】
図４はこの発明の、第２の実施の形態を説明するブロック図である。
【００７８】
上記発明に実施の形態に対して、ＤＶＤディスク１、ピックアップ２、ディスクモータ３を、それぞれＨＤＤディスク２５、磁気ヘッド４２、ディスクモータ４３に変更している。
【００７９】
符号２５はＨＤＤディスク（記録媒体）、符号４２はＨＤＤディスク２５へのデータの書込みやＨＤＤディスク２５からのデータの読出しを行うピックアップ、符号４３はＨＤＤディスク２５をドライブするディスクモータである。
【００８０】
上記と同様の構成については、同一の符号を付して説明を省力する。
【００８１】
記録・再生メモリバッファ７に蓄積されたＭＰＥＧ圧縮データはデータプロセッサ６へ送信される。
【００８２】
データプロセッサ６は記録・再生メモリバッファ７から送信されたＭＰＥＧ圧縮データをＨＤＤフォーマットに変換して出力する。ＨＤＤフォーマットに変換して出力されたＭＰＥＧ圧縮データは記録アンプ５へ送信される。
【００８３】
記録アンプ５では、ＨＤＤフォーマットに変換されたＭＰＥＧ圧縮データをＨＤＤディスクの記録信号に変換して出力する。記録アンプ５から出力されたＨＤＤディスクの記録信号に変換されたＭＰＥＧ圧縮データは磁気ヘッド４２へ入力される。
【００８４】
磁気ヘッド４２は、サーボプロセッサ８に制御され、上記ＨＤＤディスクの記録信号に基づいて上記ＭＰＥＧ圧縮データを磁気ヘッド信号に変換して出力する。またディスクモータ４３もサーボプロセッサ８に制御され、磁気ヘッド４２から出力された磁気ヘッド信号は、ディスクモータ４３にドライブされるＨＤＤディスク２５へのデータの書込みが実行される。
【００８５】
次に、ＨＤＤディスク２５に記録された映像信号（映像および音声データ）の再生について説明する。
【００８６】
サーボプロセッサ８に制御されたディスクモータ４３でドライブされたＨＤＤディスク２５にレーザー光が照射されることによりＨＤＤディスク２５から磁気ヘッド４２により映像信号が読み出され、出力される。出力された映像信号は再生アンプ４に入力され、増幅されてデータプロセッサ６へ入力される。
【００８７】
データプロセッサ６では、ＭＰＥＧ２フォーマットへの復調が実行され、記録・再生バッファ７へ出力され再生のためのバッファ処理（一時記憶）が行われる。記録・再生バッファ７へ一時記憶された映像信号はＭＰＥＧ２デコーダ９へ入力され、ＭＰＥＧ２デコード処理が施され、映像／音声デジタルデータに復調されて出力される。
【００８８】
図５はこの発明の、第２の実施の形態を説明するフローチャートである。
【００８９】
符号２００を付したステップは開始ステップである。続いて符合２０１を付したステップへ進む。
【００９０】
ステップ２０１は放送または外部から入力された映像信号を受信して出力するするステップである。続いて符合２０２を付したステップへ進む。
【００９１】
ステップ２０２は入力されたアナログ映像信号デジタル信号に変換（Ａ／Ｄ変換）して出力するステップである。続いて符合２０３を付したステップへ進む。
【００９２】
ステップ２０３は入力されたデジタル映像信号をＭＰＥＧ２へ変換、圧縮処理して出力するステップである（第１の圧縮手段）。入力された映像信号をＭＰＥＧ２（ＧＯＰ単位の信号）へ変換し、圧縮して出力する。このときの圧縮率は、例えばＫ０（０＜Ｋ０＜１）である。続いて符合２０４を付したステップへ進む。
【００９３】
ステップ２０４はＭＰＥＧ２圧縮された映像信号を上記のようにメモリバッファ（記録・再生メモリバッファ７）へ蓄積するステップである（映像信号蓄積手段）。続いて符合２０５を付したステップへ進む。
【００９４】
ステップ２０５はメモリバッファ（記録・再生メモリバッファ７）の所定領域に蓄積された映像信号の蓄積量を上記規定値と比較するステップである（比較手段）。映像信号の蓄積量が規定値以下であると判断された場合は、符号２０６（ｂ）を付したステップへ進む（Ｙｅｓ）。映像信号の蓄積量が規定値以下ではないと判断された場合は、符号２１０を付したステップへ進む（Ｎｏ）。
【００９５】
ステップ２１０はメモリバッファ（記録・再生メモリバッファ７）に蓄積されているＭＰＥＧ２圧縮された映像信号を、ＭＰＥＧ２伸張（再生）処理して出力するステップである。続いて符合２１１を付したステップへ進む。
【００９６】
ステップ２１１はＭＰＥＧ２伸張（再生）処理して出力されたデジタル映像信号を再度ＭＰＥＧ２へ変換、圧縮処理して出力するステップである（第２の圧縮手段）。入力された映像信号をＭＰＥＧ２（ＧＯＰ単位の信号）へ圧縮率Ｋ０からＫ０より大きな圧縮率Ｋ１へ変換し、圧縮して出力する。このときの圧縮率は、例えばＫ１（０＜Ｋ１＜Ｋ０＜１）である（ここでは圧縮率が大きいとは圧縮される割合が大きいことを示す。すなわち、Ｋ０とＫ０より大きな圧縮率Ｋ１との関係は０＜Ｋ１＜Ｋ０＜１となる）。続いて符合２０４を付したステップへ進み、ＭＰＥＧ２圧縮された映像信号はメモリバッファ（記録・再生メモリバッファ７）の所定領域に蓄積される。続いて、符号２０５を付したステップへ進む。
【００９７】
ここで、上記のように、ステップ２０５はメモリバッファ（記録・再生メモリバッファ７）の所定領域に蓄積された映像信号の蓄積量を上記規定値と比較するステップである（比較手段）。上記と同様に、映像信号の蓄積量が規定値以下であると判断された場合は、符号２０６（ｂ）を付したステップへ進む（Ｙｅｓ）。映像信号の蓄積量が規定値以下ではないと判断された場合は、再び、符号２１０を付したステップへ進む（Ｎｏ）。このとき、圧縮率は、例えばＫ２（０＜Ｋ２＜Ｋ１＜Ｋ０＜１）へ変更される。以下、同様にステップ２０５においてメモリバッファの所定領域に蓄積された映像信号の蓄積量を上記規定値と比較し、映像信号の蓄積量が上記規定値以下となるまで、順次圧縮率Ｋが、圧縮率の大きい（圧縮される割合が大きい）値：Ｋ１、Ｋ２、Ｋ３、Ｋ４、…、Ｋ、…に変更され、上記処理が繰り返される（０＜Ｋ＜１）。
【００９８】
ステップ２０６（ｂ）はメモリバッファ（記録・再生メモリバッファ７）に蓄積されたＭＰＥＧ２圧縮された映像信号をＨＤＤフォーマットへ変換して出力するステップである。続いて符合２０７を付したステップへ進む。
【００９９】
ステップ２０７はＨＤＤフォーマットに変換された映像信号をＨＤＤディスク２５へ記録するための記録信号へ変換して出力するステップである。続いて符合２０８を付したステップへ進む。
【０１００】
ステップ２０８は記録信号に変換して出力された映像信号をＨＤＤディスク２５へ記録するステップである。続いて符合２０９を付したステップへ進む。
【０１０１】
ステップ２０８はここでの終了ステップである。
【０１０２】
このように、この発明において映像信号が記録される記録媒体はＤＶＤディスクに限定されることはなく、ＨＤＤディスクや他の記録媒体においても実施可能である。
【０１０３】
また、例えば、記録媒体への記録中に記録媒体を交換して記録を継続する場合にもこの発明は有効である。記録媒体交換（Ａ（Ｂ面を含む）を行う場合に、所要時間がばらつく恐れがある。
【０１０４】
この場合も上記ドライブ障害発生時と同様に、記録・再生メモリバッファ７（キャシュメモリ）の蓄積値が上記規定値を超えた場合に、上記圧縮記録を開始する。
【０１０５】
ディスク交換においては、交換ディスクに交換前ディスクの終了部を記録（のりしろ）することが望ましいため、記録・再生メモリバッファ７（キャシュメモリ）の一定割合を、のりしろに割り当てる。また、記録・再生メモリバッファ７（キャシュメモリ）の蓄積量が上記規定値を超え、圧縮率を変更する場合に、この、のりしろ部分から開始する。
【０１０６】
このように構成することで、上記ばらつきも吸収することができる。
【０１０７】
このように、この発明の実施の形態によれば、キャシュメモリから記録媒体へのデータ転送において生じる、キャッシュメモリの記憶容量オーバーの問題を防止することができる。
【０１０８】
【発明の効果】
上記説明したように、この発明の実施の形態によれば、キャシュメモリから記録媒体へのデータ転送において生じる、キャッシュメモリの記憶容量オーバーの問題を防止することができる。
【０１０９】
また、記録媒体への記録停止を防止することができる。
【図面の簡単な説明】
【図１】この発明に係る実施の形態を説明するブロック図。
【図２】この発明の実施の形態に係る映像信号蓄積手段を説明する図。
【図３】この発明に係る実施の形態を説明するフローチャート。
【図４】この発明の、第２の実施の形態を説明するブロック図。
【図５】この発明の、第２の実施の形態を説明するフローチャート。
【符号の説明】
１  …  ＤＶＤディスク（記録媒体）
２  …  ピックアップ
３  …  ディスクモータ
４  …  再生アンプ
５  …  記録アンプ
６  …  データプロセッサ
７  …  記録再生メモリバッファ（映像信号蓄積手段）
８  …  サーボプロセッサ
９  …  ＭＰＥＧ２デコーダ（伸張手段）、
１０  …  システムコントローラ
１１  …  ＭＰＥＧ２エンコーダ（圧縮手段）
１２  …  映像ＤＡＣ
１３  …  映像外部出力部
１４  …  映像Ａ／Ｄ
１５  …  映像入力セレクタ
１６  …  映像外部入力部
１７  …  放送局情報デコーダ
１８  …  チューナ
１９  …  アンテナ
２０  …  音声Ａ／Ｄ
２１  …  音声入力セレクタ
２２  …  音声入力部
２３  …  音声ＤＡＣ
２４  …  音声外部出力部
４１  …  グラフィック表示器
４２  …  磁気ヘッド
５０  …  記録再生装置
【図１】
2004153598.tif 000003
【図２】
2004153598.tif 000004
【図３】
2004153598.tif 000005
【図４】
2004153598.tif 000006
【図５】
2004153598.tif 000007